【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
複数のリード本体と神経刺激器の複数の出力ポートとの間の接続を選択的に定めるための外部制御デバイスであって、
前記リード本体の各々は、少なくとも１つの電極に結合され、
前記外部制御デバイスは、ユーザインタフェースと、制御回路と、を有し、
前記ユーザインタフェースは、ユーザからの入力を受入れ、前記リード本体及び前記神経刺激器の出力ポートを表示するように構成され、
前記制御回路は、ユーザからの入力に応答して、前記リード本体のうちの第１のリード本体を選択し、コネクタを前記第１のリード本体から前記神経刺激器の出力ポートのうちの第１の出力ポートまでドラッグし、前記コネクタを前記神経刺激器の第１の出力ポートの上にドロップし、それにより、前記第１のリード本体と前記神経刺激器の第１の出力ポートとの間の接続を定めるように構成される、外部制御デバイス。
【請求項２】
前記制御回路は、更に、ユーザからの入力に応答して、前記リード本体のうちの第２のリード本体を選択し、第２のコネクタを前記第２のリード本体から前記神経刺激器の出力ポートのうちの第２の出力ポートまでドラッグし、前記第２のコネクタを前記神経刺激器の第２の出力ポートの上にドロップし、それにより、前記第２のリード本体と前記神経刺激器の第２の出力ポートとの間の接続を定めるように構成される、請求項１に記載の外部制御デバイス。
【請求項３】
前記ユーザインタフェースは、前記第１のリード本体と前記神経刺激器の第１の出力ポートとの間の接続を表示するように構成される、請求項１に記載の外部制御デバイス。
【請求項４】
複数のリード本体と神経刺激器の複数の出力ポートとの間の接続を選択的に定める方法であって、
前記リード本体の各々は、少なくとも１つの電極に結合され
前記方法は、
前記リード本体と前記神経刺激器の出力ポートを表示する段階と、
前記リード本体のうちの第１のリード本体を選択する段階と、
コネクタを前記第１のリード本体から前記神経刺激器の出力ポートのうちの第１の出力ポートまでドラッグする段階と、
前記コネクタを前記神経刺激器の第１の出力ポートの上にドロップする段階と、を有し、前記ドロップする段階により、前記第１のリード本体と前記神経刺激器の第１の出力ポートとの間の接続を定める、方法。
【請求項５】
更に、前記リード本体のうちの第２のリード本体を選択する段階と、
第２のコネクタを前記第２のリード本体から前記神経刺激器の出力ポートのうちの第２の出力ポートまでドラッグする段階と、
前記第２のコネクタを前記神経刺激器の第２の出力ポートの上にドロップする段階と、を有し、前記ドロップする段階により、前記第２のリード本体と前記神経刺激器の第２の出力ポートとの間の接続を定める段階と、を有する請求項４に記載の方法。
【請求項６】
複数のリード本体と神経刺激器の複数の出力ポートとの間の接続を選択的に表示するための外部制御デバイスであって、
前記リード本体の各々は、少なくとも１つの電極に結合され、
前記外部制御デバイスは、制御回路と、ユーザインタフェースと、を有し、
前記制御回路は、ユーザからの入力に応答して、前記リード本体のうちの第１のリード本体と前記神経刺激器の出力ポートのうちの第１の出力ポートとの間の接続を定めるように構成され、
前記ユーザインタフェースは、ユーザからの入力を受入れ、前記リード本体、前記神経刺激器の出力ポート、及び前記第１のリード本体と前記神経刺激器の第１の出力ポートとの間に定められた接続を図形的に表示するように構成される、外部制御デバイス。
【請求項７】
前記制御回路は、ユーザからの入力に応答して、前記第１のリード本体を選択し、コネクタを前記第１のリード本体から前記神経刺激器の第１の出力ポートまでドラッグし、前記コネクタを前記神経刺激器の第１の出力ポートの上にドロップすることによって、前記第１のリード本体と前記神経刺激器の第１の出力ポートとの間の接続を定めるように構成される、請求項６に記載の外部制御デバイス。
【請求項８】
前記制御回路は、更に、ユーザからの追加入力に応答して、前記リード本体のうちの第２のリード本体と前記神経刺激器の出力ポートのうちの第２の出力ポートとの間の接続を定めるように構成され、
前記ユーザインタフェースは、更に、前記第２のリード本体と前記神経刺激器の第２の出力ポートとの間の接続を図形的に表示するように構成される、請求項６に記載の外部制御デバイス。
【請求項９】
前記制御回路は、更に、前記第１のリード本体と前記神経刺激器の第１の出力ポートとの間の適合性を検証するように構成される、請求項１又は６に記載の外部制御デバイス。
【請求項１０】
前記ユーザインタフェースは、ユーザからの入力を受入れるためのマウス、トラックボール、タッチパッド、及びジョイスティックのうちの１つ又は２つ以上を含む、請求項１又は６に記載の外部制御デバイス。
【請求項１１】
前記ユーザインタフェースは、ユーザからの入力を受入れるためのデジタイザ画面を含む、請求項１又は６に記載の外部制御デバイス。
【請求項１２】
前記制御回路は、更に、ユーザからの追加入力に応答して、前記第１のリード本体が結合された少なくとも１つの電極に対応する刺激パラメータを用いて前記神経刺激器をプログラムするように構成される、請求項１又は６に記載の外部制御デバイス。
【請求項１３】
前記第１のリード本体は、リードの複数の尾部のうちの１つを含む、請求項１又は６に記載の外部制御デバイス。
【請求項１４】
前記第１のリード本体は、経皮リードである、請求項１又は６に記載の外部制御デバイス。
【請求項１５】
複数のリード本体と神経刺激器の複数の出力ポートとの間の接続を選択的に表示する方法であって、
前記リード本体の各々は、少なくとも１つの電極に結合され、
前記方法は、
前記リード本体及び前記神経刺激器の出力ポートを図形的に表示する段階と、
前記リード本体のうちの第１のリード本体と前記神経刺激器の出力ポートのうちの第１の出力ポートとの間の接続を定める段階と、
前記第１のリード本体と前記神経刺激器の第１の出力ポートとの間に定められた接続を図形的に表示する段階と、を含む方法。
【請求項１６】
前記第１のリード本体と前記神経刺激器の第１の出力ポートとの間の接続を定める段階は、
前記第１のリード本体を選択する段階と、
コネクタを前記第１のリード本体から前記神経刺激器の第１の出力ポートまでドラッグする段階と、
前記コネクタを前記神経刺激器の第１の出力ポートの上にドロップする段階と、を含む、請求項１５に記載の方法。
【請求項１７】
更に、前記第１のリード本体と前記神経刺激器の第１の出力ポートとの間の適合性を検証する段階を含む、請求項４又は１５に記載の方法。
【請求項１８】
更に、前記リード本体のうちの第２のリード本体と前記神経刺激器の出力ポートのうちの第２の出力ポートとの間の接続を定める段階と、
前記第２のリード本体と前記神経刺激器の第２の出力ポートとの間に定められた接続を図形的に表示する段階と、を含む、請求項１５に記載の方法。
【請求項１９】
更に、前記第１のリード本体が結合された少なくとも１つの電極に対応する刺激パラメータを用いて前記神経刺激器をプログラムする段階を含む、請求項４又は１５に記載の方法。
【請求項２０】
前記第１のリード本体は、リードの複数の尾部のうちの１つを含む、請求項４又は１５に記載の方法。
【請求項２１】
前記第１のリード本体は、経皮リードを含む、請求項４又は１５に記載の方法。